(57)【要約】【課題】  標準クロック装置から正確な時刻を受信することが不可能な場合においても、時刻はコンテンツの再生が許される時刻であるか否かを適切に判断することができるコンテンツ再生制御方法及び移動通信端末装置を提供する。【解決手段】  再生装置内にクロック２５を備え、クロック２５が手動で校正されていないことを手動校正済フラッグ２７で調べ、また、クロック２５が最後に正確な時刻で校正された最終自動校正時刻２８が示す時刻からの経過時間を用いてクロック２５の最大誤差を算出することによって、時刻はコンテンツの再生が許される時刻であるか否かを適切に判断することができる。【選択図】  図３
2005165963.tif 000002
【特許請求の範囲】
【請求項１】
コンテンツとそのコンテンツの再生許可時刻とが記憶されるコンテンツ記憶手段から前記コンテンツを再生するコンテンツ再生制御方法であって、
外部から送信された標準時刻を受信して、前記受信した標準時刻に従って計時手段の時刻を校正して計時し、
前記標準時刻に従って前記計時手段の時刻が校正されたことを校正方法記憶手段に記憶し、
入力手段によって設定した時刻に従って前記計時手段の時刻を校正した場合、前記入力手段に従って前記計時手段の時刻が校正されたことを前記校正方法記憶手段に記憶し、
前記コンテンツを再生する際、前記標準時刻に従って前記計時手段が校正されたことが前記校正方法記憶手段に記憶されていて、かつ、前記計時手段が示す時刻が前記再生許可時刻に含まれる場合は前記コンテンツを再生し、
前記入力手段に従って前記計時手段が校正されたことが前記校正方法記憶手段に記憶されている場合は前記コンテンツを再生しない
ことを特徴とするコンテンツ再生制御方法。
【請求項２】
コンテンツとそのコンテンツの再生許可時刻とが記憶されるコンテンツ記憶手段と、
時刻を計時する計時手段と、
数字キーを含む複数のキーからなる入力手段と、
前記計時手段の校正方法を記憶する校正方法記憶手段と、
外部から受信した標準時刻に従って前記計時手段の時刻を校正し、前記標準時刻に従って前記計時手段の時刻を校正したことを前記校正方法記憶手段に記憶する自動校正手段と、
前記入力手段によって設定した時刻に従って前記計時手段を校正し、前記入力手段からの時刻に従って前記計時手段の時刻を校正したことを前記校正方法記憶手段に記憶する手動校正手段と、
前記標準時刻に従って前記計時手段を校正したことが前記校正方法記憶手段に記憶されていて、かつ、前記計時手段が示す時刻が前記コンテンツの前記再生許可時刻に含まれる場合は前記コンテンツを再生し、前記入力手段からの時刻に従って前記計時手段を校正したことが前記校正方法記憶手段に記憶されている場合は前記コンテンツを再生しないよう制御するコンテンツ再生制御手段と
を備えることを特徴とする移動通信端末装置。
【請求項３】
前記標準時刻は、移動通信システムの基地局から送信された電波によって送出された時刻であることを特徴とする請求項２に記載の移動通信端末装置。
【請求項４】
測位システム電波受信部を更に備え、
前記標準時刻は、前記測位システム用無線局から送信された電波によって送出された時刻であることを特徴とする請求項２に記載の移動通信端末装置。
【発明の詳細な説明】
【技術分野】
【０００１】
本発明は、コンテンツ再生制御方法及び移動通信端末装置に係り、特にコンテンツの再生が所定の時刻でのみ許される再生制御処理に関する。
【背景技術】
【０００２】
移動通信端末装置では符号化されたデジタル映画情報を受信すると、その情報を再生する処理が行われている。上記情報の受信の際に、例えば、その情報を作成した者の著作権保護のため、その情報の再生は許可されている時間帯に限って行えるとの制約が付けられることがある。
【０００３】
上記制約は、映画情報の再生時刻に付けられると限るものではなく、受信した利用者の五感に感じられるあらゆる情報が符号化されていて、利用者の五感に感じられる情報に変換する処理を行う時刻に対応して制約が付けられることがある。
【０００４】
そこで、以後、利用者の五感に感じられるあらゆる情報が符号化された情報であって、利用者の五感に感じられない、または、感じることが困難である情報をコンテンツと称し、コンテンツを利用者の五感に感じられる情報に変換する処理を再生と称する。コンテンツは、映画情報の他に、音楽情報や、音声情報や、静止画情報を含み、更に、電子ゲーム情報など、対話型に再生される情報も含む。
【０００５】
なお、コンテンツは符号化されたデジタル情報に限られるものではなく、符号化されていないデジタル情報でも良い。更に、コンテンツの一部、または、全部がアナログ情報でも良い。また、コンテンツの受信は、無線回線経由であるか、有線回線経由であるか、取り外し可能な記憶媒体経由であるかを問わない。
【０００６】
移動通信端末装置の再生装置は、コンテンツの再生が所定の許可時刻でのみ行うとの制約が付けられている場合、利用者が再生を指示した時の時刻を受信するとその制約を満たすことを確認し、コンテンツの再生を行う。ここで、再生装置が受信する時刻が利用者が手動で校正可能なクロックから受信した時刻である場合には、その時刻が正確であるかの確認が必要であることは、言うまでもない。
【０００７】
正確な時刻を受信する手段として、独立行政法人通信総合研究所が運用している標準周波数局（呼出符号ＪＪＹ）が発信している電波の受信や、ＧＰＳ（Global Positioning System、全地球測位システム）衛星が発信している電波の受信が知られている。また、移動通信システムの基地局が発信している電波の受信が知られている。
【０００８】
一方、固定電話網を用いる手段としては、通信総合研究所が運用している「電話回線による標準時供給システム」から送出されるデータの受信や、日本電信電話株式会社グループが運用している「時報サービス」システム（電話番号１１７）から送出される音声の受信が知られている。
【０００９】
更に、ＷＷＷシステムを用いる手段、例えば、通信総合研究所が運用しているＷＷＷサーバ（アドレス http://www2.crl.go.jp/cgi-bin/JST.cgi）が提供する情報の受信が知られている。
【００１０】
そこで、再生装置は、コンテンツの再生にあたって、再生装置以外の上記の装置（以後、標準クロック装置と称する。）の１つ、または、複数の装置が示す時刻（以後、標準時刻と称する。）を受信して、受信した標準時刻がそのコンテンツの再生が許される時刻であるか否かを判断する処理が知られている（例えば、特許文献１参照。）。
【００１１】
また、標準クロック装置から受信した標準時刻で校正され、かつ、利用者が時刻を校正することができないクロックを再生装置専用に備え、そのクロックから受信した時刻がそのコンテンツの再生が許される時刻であるか否かを判断する処理が知られている（例えば、特許文献２参照。）。
【特許文献１】特開平１１−８５５００号公報（第２頁、図１）
【特許文献２】特開２００２−９１９２３号公報（第２−３頁、図６）
【発明の開示】
【発明が解決しようとする課題】
【００１２】
しかしながら、上述した特許文献１に開示されている方法では、標準クロック装置との間の通信が不可能な場所においては、コンテンツの再生が許される時刻であってもコンテンツの再生ができない問題点があった。上記通信が不可能な場所として、例えば、電波が届かず、かつ、固定電話回線が設置されていない地下街や、地下鉄車内などがある。
【００１３】
また、上述した特許文献２に開示されている方法では、利用者が校正できるクロックと、利用者が校正できない再生装置専用クロックとの２つのクロックが必要となる問題点があった。更に、利用者が時刻を校正できない再生装置専用クロックの精度を保証する手段がないため、コンテンツの再生が許される時刻であるか否かの判断が適切であると保証できない問題点があった。
【００１４】
本発明は、上記問題点を解決するためになされたもので、標準クロック装置との間の通信が不可能な場合においても、時刻がコンテンツの再生が許される時刻であるか否かを適切に判断することができるコンテンツ再生制御方法及び移動通信端末装置を提供することを目的とする。
【課題を解決するための手段】
【００１５】
上記目的を達成するために、本発明のコンテンツ再生制御方法は、コンテンツとそのコンテンツの再生許可時刻とが記憶されるコンテンツ記憶手段から前記コンテンツを再生するコンテンツ再生制御方法であって、外部から送信された標準時刻を受信して、前記受信した標準時刻に従って計時手段の時刻を校正して計時し、前記標準時刻に従って前記計時手段の時刻が校正されたことを校正方法記憶手段に記憶し、入力手段によって設定した時刻に従って前記計時手段の時刻を校正した場合、前記入力手段に従って前記計時手段の時刻が校正されたことを前記校正方法記憶手段に記憶し、前記コンテンツを再生する際、前記標準時刻に従って前記計時手段が校正されたことが前記校正方法記憶手段に記憶されていて、かつ、前記計時手段が示す時刻が前記再生許可時刻に含まれる場合は前記コンテンツを再生し、前記入力手段に従って前記計時手段が校正されたことが前記校正方法記憶手段に記憶されている場合は前記コンテンツを再生しないことを特徴とする。
【発明の効果】
【００１６】
本発明によれば、標準クロック装置との間の通信が不可能な場所においても、時刻がコンテンツの再生が許される時刻であるか否かを適切に判断することができる。
【発明を実施するための最良の形態】
【００１７】
以下に、本発明によるコンテンツ再生制御方法及び移動通信端末装置の実施の形態を、図面を参照して説明する。図１は、本発明の実施形態に係る移動通信端末装置を示すブロック図である。
【００１８】
この装置は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、出力装置１５と、入力装置１６と、コンテンツ記憶部２１と、コンテンツ再生部２２と、時刻管理部２３とからなる。
【００１９】
コンテンツ記憶部２１には、コンテンツファイル２１ａが記憶される。図２は、コンテンツ記憶部２１に記憶されるコンテンツファイル２１ａのファイル形式を示す。コンテンツファイル２１ａは、コンテンツ２１ｂに、そのコンテンツ２１ｂの再生が許される最も早い時刻である再生許可開始時刻２１ｃと、そのコンテンツ２１ｂの再生が許される最も遅い時刻である再生許可終了時刻２１ｄとが付加されたファイルである。コンテンツファイル２１ａは、暗号化されていても良い。
【００２０】
なお、再生許可開始時刻２１ｃと再生許可終了時刻２１ｄとは、コンテンツファイル２１ａとは別のファイルとしてコンテンツ記憶部２１に記憶されても良い。また、これらの時刻情報は、暗号化されていても良い。
【００２１】
コンテンツファイル２１ａは、電子メール送受信部（図示せず）によって受信され、コンテンツ記憶部２１に格納されるが、これに限るものではない。例えば、Ｗｅｂ受信部（図示せず）によって受信され、コンテンツ記憶部２１に格納されても良い。また、取り外し可能な記憶媒体（図示せず）を介して受信され、コンテンツ記憶部２１に格納されても良い。
【００２２】
図３は、時刻管理部２３の構成を示すブロック図である。時刻管理部２３は、制御部１１、及び、コンテンツ再生部２２と接続される時刻管理制御部２４と、クロック２５と、時刻校正モード２６と、手動校正済フラッグ２７と、最終自動校正時刻２８とからなる。
【００２３】
時刻校正モード２６には、クロック２５が標準時刻によって校正されるモードの場合には「自動」なるデータが記憶される。また、クロック２５が利用者の設定によって校正されるモードの場合には「手動」なるデータが記憶される。
【００２４】
また、手動校正済フラッグ２７には、クロック２５の最近の校正が利用者の設定した時刻に基いている場合には「ＯＮ」なるデータが記憶される。また、クロック２５の最近の校正が標準時刻に基いている場合には「ＯＦＦ」なるデータが記憶される。更に、最終自動校正時刻２８には、クロック２５が標準時刻に基いて最近に校正された時刻が記憶される。
【００２５】
上記のように構成された、本発明の実施形態に係る移動通信端末装置の各部の動作を、図１を参照して説明する。
【００２６】
まず、通信部１２ｂは、アンテナ１２ａが受信した高周波信号を送受信部１３へ出力し、また、送受信部１３から出力される高周波信号をアンテナ１２ａより送信する。
【００２７】
送受信部１３は、通信部１２ｂからの高周波信号を増幅、周波数変換及び復調し、それによって得られたデジタル音声信号を通話部１４ｃへ、また、通信部１２ｂからの標準時刻を含む制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００２８】
次に、通話部１４ｃは、送受信部１３、または、コンテンツ再生部２２から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２９】
出力装置１５は、例えばＬＣＤの表示装置であり、制御部１１、または、コンテンツ再生部２２より起動されることにより、表示動作を開始する。入力装置１６からの入力操作に応答して制御部１１より起動されるまで、または、新たな画像の表示を行うためにコンテンツ再生部２２より起動されるまで、出力装置１５には同じ内容が表示される。
【００３０】
入力装置１６は、通話相手の電話番号を指定するための数字キーを含む複数のキーからなり、制御部１１の起動により動作を開始し、利用者が入力操作したキー入力に応じて、そのキーを識別する識別子を制御部１１へ通知して動作を終了する。
【００３１】
次に、コンテンツ再生部２２の動作を図１、図２及び図４を参照して説明する。コンテンツ再生部２２は、コンテンツファイル２１ａのコンテンツ２１ｂの再生を行う装置である。図４は、このコンテンツ再生部２２の動作を示すフローチャートである。コンテンツ再生部２２は、利用者が入力装置１６の所定のキーを操作して、コンテンツファイル２１ａを指定することによって、制御部１１がコンテンツファイル２１ａの名前を引数に起動して動作を開始する（ステップ２２ａ）。
【００３２】
コンテンツ再生部２２は、直ちに、コンテンツファイル２１ａの再生許可開始時刻２１ｃと、再生許可終了時刻２１ｄとをコンテンツ記憶部２１から読込む（ステップ２２ｂ）。続いて、時刻管理部２３から時刻情報を受信する（ステップ２２ｃ）。なお、時刻管理部２３から受信する時刻情報は、クロック２５が示す時刻（これをＴと表記する。）と、手動校正済フラッグ２７に記憶された値と、クロック２５が示す時刻の最大誤差（これをＥと表記する。）とからなる。
【００３３】
続いて、コンテンツ再生部２２は、ステップ２２ｃで受信した時刻情報と、ステップ２２ｂで読込んだ再生許可開始時刻２１ｃ（これをＸと表記する。）と、再生許可終了時刻２１ｄ（これをＹと表記する。）との間の比較を行うことによって、現在の時刻は再生が許可された時刻であるか否かを判断する（ステップ２２ｄ）。
【００３４】
即ち、ステップ２２ｃで受信した手動校正済フラッグ２７に記憶された値が「ＯＦＦ」であれば、クロック２５は標準時刻に基いて校正されているので、ステップ２２ｃで受信したクロック２５が示す時刻（Ｔ）は概ね正確である。ただし、ステップ２２ｃで受信した最大誤差（Ｅ）までの誤差が、時刻が遅くなる方向に、または、時刻が早くなる方向に含まれている可能性がある。
【００３５】
そこで、コンテンツ再生部２２は、「現在の時刻は、Ｔ−Ｅ〜Ｔ＋Ｅの間」と判断し、現在の時刻が最も早い場合で、現在の時刻が再生許可開始時刻２１ｃと再生許可終了時刻２１ｄとの間である（Ｘ＜Ｔ−Ｅ＜Ｙ）、または、現在の時刻が最も遅い場合で、現在の時刻が再生許可開始時刻２１ｃと再生許可終了時刻２１ｄとの間である（Ｘ＜Ｔ＋Ｅ＜Ｙ）際に、クロック２５が示す時刻（Ｔ）は再生許可時刻であると判断する。これら２つの条件のいずれもが満たされない場合、コンテンツ再生部２２は、クロック２５が示す時刻（Ｔ）は再生許可時刻ではないと判断する。
【００３６】
一方、ステップ２２ｃで受信した手動校正済フラッグ２７に記憶された値が「ＯＮ」であれば、クロック２５は利用者の設定に基いて校正されているため、ステップ２２ｃで受信したクロック２５が示す時刻（Ｔ）の正確さは不明である。そこで、コンテンツ再生部２２は、クロック２５が示す時刻（Ｔ）は再生許可時刻ではないと判断する。
【００３７】
クロック２５が示す時刻（Ｔ）が再生許可時刻であると判断した場合（ステップ２２ｄの「ＹＥＳ」）、コンテンツ再生部２２は、コンテンツ２１ｂをコンテンツ記憶部２１から読込んで、その画像情報や文字情報を出力装置１５に送って表示し、また、音楽情報や音声情報を通話部１４ｃに送ってスピーカ１４ａから発音することによって、コンテンツ２１ｂを再生して（ステップ２２ｅ）、終了する（ステップ２２ｆ）。
【００３８】
一方、クロック２５が示す時刻（Ｔ）が再生許可時刻でないと判断した場合（ステップ２２ｄの「ＮＯ」）、コンテンツ再生部２２は、「現在は再生許可時刻でない」旨のメッセージを出力装置１５に送って表示して（ステップ２２ｇ）、終了する（ステップ２２ｆ）。
【００３９】
なお、移動通信端末装置に、スピーカ１４ａに加えてコンテンツ再生用の第２のスピーカ（図示せず）を設けた構成とし、コンテンツ再生部２２は、通話部１４ｃがコンテンツ再生用の第２のスピーカを用いて音楽情報や音声情報を発音することによって、コンテンツ２１ｂを再生しても良い。
【００４０】
次に、時刻管理部２３の動作を図１及び図３を参照して説明する。時刻管理部２３のクロック２５は、計時を行う装置である。次に、時刻管理部２３の時刻管理制御部２４の動作を説明する。
【００４１】
時刻管理制御部２４は、（１）利用者が入力装置１６の所定キーを操作することによって制御部１１が起動する、（２）制御部１１が標準時刻を基地局から受信することによって起動する、（３）コンテンツ再生部２２が時刻情報を受信するために起動する、の３通りの起動によって動作を開始する。
【００４２】
図５は、利用者が入力装置１６の所定キーを操作した場合に、制御部１１によって起動される時刻管理制御部２４の動作のフローチャートを示す。
【００４３】
入力装置１６の所定キーが操作されて時刻管理部２３の動作が指示されると、制御部１１によってその指示を引数に時刻管理制御部２４が起動されて動作を開始する（ステップ２４ａ）。
【００４４】
続いて、時刻管理制御部２４は、利用者からの次の指示に応じて、動作が分岐する（ステップ２４ｂ）。例えば、上記指示が時刻校正モード２６の設定の場合（ステップ２４ｂの「時刻校正モードの設定」）、その指示に基いて、時刻校正モード２６に「手動」、または、「自動」のいずれかのデータを格納して（ステップ２４ｃ）、終了する（ステップ２４ｄ）。
【００４５】
また、上記指示がクロック２５の校正の場合（ステップ２４ｂの「手動校正」）、時刻管理制御部２４は、時刻校正モード２６に記憶されたデータによって動作を分岐する（ステップ２４ｅ）。即ち、時刻校正モード２６に記憶されたデータが「自動」であれば（ステップ２４ｅの「自動」）、直ちに動作を終了する（ステップ２４ｄ）。
【００４６】
上記時刻校正モード２６に記憶されたデータが「手動」であれば（ステップ２４ｅの「手動」）、時刻管理制御部２４は、利用者の指示した値を示すようにクロック２５を校正する（ステップ２４ｆ）。そして、クロック２５が示す時刻は利用者の指示によって校正されたことを記憶するために、手動校正済フラッグ２７に「ＯＮ」なるデータを格納して（ステップ２４ｇ）、終了する（ステップ２４ｄ）。
【００４７】
次に、図６は、制御部１１が標準時刻を基地局から受信する場合に、制御部１１によって起動される時刻管理制御部２４の動作のフローチャートを示す。
【００４８】
制御部１１が基地局から送信された標準時刻をアンテナ１２ａから受信すると、制御部１１によってその受信した標準時刻を引数に時刻管理制御部２４が起動されて動作を開始する（ステップ２４ｉ）。
【００４９】
続いて、時刻管理制御部２４は、時刻校正モード２６に記憶されたデータに応じて、動作が分岐する（ステップ２４ｊ）。即ち、時刻校正モード２６に「手動」が記憶されていれば（ステップ２４ｊの「手動」）、直ちに終了する（ステップ２４ｋ）。
【００５０】
一方、時刻校正モード２６に「自動」が記憶されていれば（ステップ２４ｊの「自動」）、時刻管理制御部２４は、受信した標準時刻を示すようにクロック２５を校正する（ステップ２４ｍ）。そして、クロック２５が示す時刻は標準時刻によって校正されたことを記憶するために、手動校正済フラッグ２７に「ＯＦＦ」なるデータを格納する（ステップ２４ｎ）。更に、最終自動校正時刻２８に、標準時刻によって校正された時刻を格納して（ステップ２４ｏ）、終了する（ステップ２４ｋ）。
【００５１】
次に、図７は、コンテンツ再生部２２が時刻情報を受信するため起動された時刻管理制御部２４の動作のフローチャートを示す。
【００５２】
この場合、時刻管理制御部２４は、コンテンツ再生部２２により起動されて動作を開始する（ステップ２４ｑ）。続いて、時刻管理制御部２４は、クロック２５が示す時刻（Ｔ）を読込んでコンテンツ再生部２２に通知し（ステップ２４ｒ）、また、手動校正済フラッグ２７に記憶されたデータをコンテンツ再生部２２に通知する（ステップ２４ｓ）。
【００５３】
ここで、手動校正済フラッグ２７に記憶されたデータが「ＯＮ」であれば、ステップ２４ｒで通知した時刻（Ｔ）は利用者の指示に基いて校正されたクロック２５から読み出したものであることを示す。また、上記データが「ＯＦＦ」であれば、ステップ２４ｒで通知した時刻（Ｔ）は標準時刻に基いて校正されたクロック２５から読み出したものであることを示す。
【００５４】
そして、時刻管理制御部２４は、上記データが「ＯＦＦ」である場合、ステップ２４ｒで通知した時刻（Ｔ）が含む最大誤差（Ｅ）を算出してコンテンツ再生部２２に通知して（ステップ２４ｔ）、終了する（ステップ２４ｕ）。ここで、上記最大誤差（Ｅ）は、例えば、次のクロック２５が示す時刻（Ｔ）の１次関数式によって計算するが、これに限るものではない。
【００５５】
Ｅ＝ａ×（Ｔ−Ｔ０）＋ｂ
ここで、Ｔ０は、最終自動校正時刻２８に記憶された時刻であり、定数ａ及び定数ｂは所定の定数である。上式で第１項の「ａ×（Ｔ−Ｔ０）」は、クロック２５を標準時刻によって校正してから経過した時間に依存する誤差であり、定数ａは、クロック２５の性能によって決定された、（Ｔ−Ｔ０）に比例するクロック２５の誤差を示す定数である。
【００５６】
また、上式で第２項の「＋ｂ」は、制御部１１が受信した標準時刻に含まれる最大誤差と、制御部１１が標準時刻を受信してから時刻管理制御部２４がその標準時刻を示すようにクロック２５を校正するまでに経過する最大時間と、クロック２５の性能に従って決定された（Ｔ−Ｔ０）に依存しないクロック２５の最大誤差の和である。
【００５７】
ここで、制御部１１が受信した標準時刻に含まれる最大誤差は、その標準時刻を出力した標準クロック装置に依存する最大誤差と、その標準時刻がその標準クロック装置から出力されてから制御部１１が受信するまでに経過する最大時間との和である。
【００５８】
また、手動校正済フラッグ２７に記憶されたデータが「ＯＮ」である場合、時刻管理制御部２４は、ステップ２４ｒで通知した時刻（Ｔ）が含む最大誤差（Ｅ）は、最大誤差（Ｅ）の表現形式が許す範囲の最大値とする。
【００５９】
本実施の形態においては、コンテンツ２１ｂの再生許可時刻は、再生許可開始時刻２１ｃから再生許可終了時刻２１ｄまでと指定されるとしたが（図２を参照）、これに限るものではない。例えば、初回再生時刻から所定時間であると指定されても良い。
【００６０】
この場合、コンテンツ再生部２２は、時刻管理制御部２４から時刻情報の一部として受信した手動校正済フラッグ２７が「ＯＦＦ」である場合（図４のステップ２２ｃ参照）にのみ、初回再生を行う。また、時刻管理制御部２４から時刻情報の一部として受信したクロック２５が示す時刻を再生許可開始時刻２１ｃに格納し、その再生許可開始時刻２１ｃに上記所定時間を加えた和の時刻を再生許可終了時刻２１ｄに格納する。
【００６１】
これによって、２回目以降の再生においては、コンテンツ再生部２２は、以上に説明した通りの動作によって、適切な再生制御が可能である。
【００６２】
更に、コンテンツ２１ｂの再生許可時刻は、コンテンツ２１ｂをコンテンツ記憶部２１に格納した時刻から所定時間であると指定されても良い。この場合、コンテンツ再生部２２は、時刻管理制御部２４から時刻情報の一部として受信した手動校正済フラッグ２７が「ＯＦＦ」である場合（図４のステップ２２ｃ参照）にのみ、コンテンツ２１ｂをコンテンツ記憶部２１に格納し、また、時刻管理制御部２４から時刻情報の一部として受信したクロック２５が示す時刻を再生許可開始時刻２１ｃに格納し、その再生許可開始時刻２１ｃに上記所定時間を加えた和の時刻を再生許可終了時刻２１ｄに格納する。
【００６３】
また、コンテンツ再生部２２は、時刻管理制御部２４から受信した時刻情報に基いて判断した時刻がコンテンツ２１ｂの再生許可時刻でない場合（図４のステップ２２ｄの「ＮＯ」）、警告を表示するとしたが（図４のステップ２２ｇ）、これに限るものではない。コンテンツ２１ｂのプレビュー（コンテンツ２１ｂの一部分のみを再生すること。）をしても良い。
【００６４】
または、コンテンツ２１ｂの著作権者や、コンテンツ２１ｂの著作権管理者の電子メールアドレスをコンテンツファイル２１ａに記憶し、このアドレス宛に電子メール送受信部に指示して電子メールを送信し、コンテンツ２１ｂの再生が再生許可時刻以外に利用者によって指示されたことを通知しても良い。
【００６５】
または、コンテンツファイル２１ａの消去や、コンテンツ２１ｂの消去をしても良い。
【００６６】
または、再生許可開始時刻２１ｃと再生許可終了時刻２１ｄに、それらのデータの表現形式が許す限りの最も過去の時刻を格納することによって、それ以降にはコンテンツ２１ｂの再生ができないようにしても良い。
【００６７】
更に、コンテンツ再生部２２は、コンテンツ２１ｂの再生が再生許可時刻以外に利用者によって指示された回数（図４のステップ２２ｇが動作した回数）をコンテンツファイル２１ａ内に記憶し、その記憶された回数が所定回数を超えない場合と超えた場合とで異なる動作をしても良い。
【００６８】
また、時刻管理制御部２４は、時刻情報の通知を要求された場合、手動校正済フラッグ２７に記憶されたデータをコンテンツ再生部２２に通知し（図７のステップ２４ｓ）、コンテンツ再生部２２は、通知された手動校正済フラッグ２７に記憶されたデータが「ＯＮ」の場合に再生を行わないと判断するとしたが（図４のステップ２２ｄ）、これに代えて、時刻管理制御部２４は、時刻校正モード２６に記憶されたデータを通知し、コンテンツ再生部２２は、通知された時刻校正モード２６に記憶されたデータが「手動」の場合に再生を行わないと判断しても良い。
【００６９】
更に、制御部１１が基地局から送信された標準時刻を受信して、その標準時刻に基いて、時刻管理制御部２４はクロック２５を校正するものとしたが、これに限るものではない。例えば、ＧＰＳ衛星からの電波をＧＰＳ受信部（図示せず）が受信して、その電波によって送出された標準時刻に基いて、時刻管理制御部２４はクロック２５を校正しても良い。
【００７０】
また、以上の説明は、本発明を移動通信端末装置に適用した形態を例にとって行ったが、本発明は、携帯が容易なあらゆるコンテンツ再生装置に適用することも当然に可能である。本発明は以上の構成に限定されるものではなく、種々の変形が可能である。
【図面の簡単な説明】
【００７１】
【図１】本発明の実施形態に係る移動通信端末装置を示すブロック図。
【図２】本発明の実施形態に係るコンテンツファイルのファイル構造を示す図。
【図３】本発明の実施形態に係る時刻管理部を示すブロック図。
【図４】本発明の実施形態に係るコンテンツ再生部の動作を示すフローチャート。
【図５】本発明の実施形態に係る時刻管理制御部の動作を示すフローチャート（その１、利用者の指示による起動の場合）。
【図６】本発明の実施形態に係る時刻管理制御部の動作を示すフローチャート（その２、制御部が標準時刻を受信したことによる起動の場合）。
【図７】本発明の実施形態に係る時刻管理制御部の動作を示すフローチャート（その３、コンテンツ再生部による起動の場合）。
【符号の説明】
【００７２】
１１  制御部
１４ａ  スピーカ
１５  出力装置
１６  入力装置
２１  コンテンツ記憶部
２１ａ  コンテンツファイル
２１ｂ  コンテンツ
２１ｃ  再生許可開始時刻
２１ｄ  再生許可終了時刻
２２  コンテンツ再生部
２３  時刻管理部
２４  時刻管理制御部
２５  クロック
２６  時刻校正モード
２７  手動校正済フラッグ
２８  最終自動校正時刻
【図１】
2005165963.tif 000003
【図２】
2005165963.tif 000004
【図３】
2005165963.tif 000005
【図４】
2005165963.tif 000006
【図５】
2005165963.tif 000007
【図６】
2005165963.tif 000008
【図７】
2005165963.tif 000009